(57)【要約】【課題】平面ディスプレイの取り付け作業が容易で、接続ケーブルをその背面から所望の方向へ簡単に取り出すことができる平面ディスプレイ取り付け装置を提供することである。【解決手段】平面ディスプレイ５２の背面に上下方向へ向けて取り付けられるビーム２の下端部を、壁面５１に取り付けられる枠体１から突っ張り部材３で前方へ浮かせ、平面ディスプレイ５２の背面の下部と壁面５１との間に、接続端子を覗き込む隙間を形成することにより、平面ディスプレイ５２を取り付けた後で接続ケーブルを接続端子に接続可能とし、壁面５１への取り付け時に接続ケーブルが邪魔にならないようにして、取り付け作業を容易にするとともに、接続ケーブルを平面ディスプレイ５２の背面から所望の方向へ簡単に取り出せるようにした。【選択図】図２
2006330463.tif 000002
【特許請求の範囲】
【請求項１】
壁面に取り付けられるベース部材と、背面に接続ケーブルの接続端子が設けられた平面ディスプレイが取り付けられ、前記ベース部材に連結される連結部材とを備え、前記平面ディスプレイを壁面に取り付ける平面ディスプレイ取り付け装置おいて、前記連結部材を前記平面ディスプレイの背面に上下方向へ向けて取り付けられるビームを有するものとし、この連結部材のビームの下端部を前記ベース部材から前方へ浮かせ、前記平面ディスプレイの背面の下部と前記壁面との間に、前記接続端子を覗き込む隙間を形成する隙間形成手段を設けたことを特徴とする平面ディスプレイ取り付け装置。
【請求項２】
前記隙間形成手段が、前記連結部材のビームの上端部を前記ベース部材の上部に垂直面内で回動自在に連結し、この垂直面内で回動自在としたビームの下端部を突っ張り部材で前方へ浮かせるように、前記ベース部材の下部に突っ張り支持するものである請求項１に記載の平面ディスプレイ取り付け装置。
【請求項３】
前記連結部材のビームの上部を、垂直面内で回動可能なアーム部材を介して前記ベース部材の上部に連結し、前記ビームの下端部を前記ベース部材に垂直面内で回動自在に連結して、前記平面ディスプレイの前面を下向きに傾斜できるようにした請求項１に記載の平面ディスプレイ取り付け装置。
【請求項４】
前記アーム部材の前記ビームの上部への連結位置を変更可能とし、前記平面ディスプレイの前面の下向きの傾斜角度を調節できるようにした請求項３に記載の平面ディスプレイ取り付け装置。
【請求項５】
前記隙間形成手段が、前記ベース部材の上部と前記ビームの下端部を連結する垂直面内で回動自在なリンク部材を設け、このリンク部材が連結されたビームの下端部を突っ張り部材で前方へ浮かせるように、前記ベース部材の下部に突っ張り支持するものである請求項３または４に記載の平面ディスプレイ取り付け装置。
【請求項６】
前記突っ張り部材を、前記ベース部材の下部または前記ビームの下端部に、垂直面内で回動自在に連結した請求項２または５に記載の平面ディスプレイ取り付け装置。
【請求項７】
前記ベース部材を矩形状の枠体で形成し、この枠体を折り畳み可能とした請求項１乃至６のいずれかに記載の平面ディスプレイ取り付け装置。
【発明の詳細な説明】
【技術分野】
【０００１】
本発明は、平面ディスプレイを壁面に取り付ける平面ディスプレイ取り付け装置に関する。
【背景技術】
【０００２】
薄型のテレビやモニタ装置等の液晶ディスプレイやプラズマディスプレイを有する平面ディスプレイは、大画面のものでもあまりスペースを必要とせず、居室等のスペースを有効活用できることから普及が進んでいる。この平面ディスプレイを壁面に取り付ける平面ディスプレイ取り付け装置には、壁面に取り付けられるベース部材と、平面ディスプレイの背面に取り付けられ、ベース部材に連結される連結部材とを備え、平面ディスプレイの背面を壁面に沿わせて取り付けるようにしたものが多い。ベース部材の上部と平面ディスプレイの背面の上部に取り付けたフックとの間にひも状部材を張り渡し、平面ディスプレイの背面の下部をベース部材に軸支して、平面ディスプレイを下向きに傾斜自在に壁面に取り付けるようにしたものもある（例えば、特許文献１参照）。
【０００３】
【特許文献１】特開平１０−１７４０２１号公報（第１、２図）
【発明の開示】
【発明が解決しようとする課題】
【０００４】
上述した平面ディスプレイの背面を壁面に沿わせたり、平面ディスプレイを下向きに傾斜させたりして壁面に取り付ける従来の平面ディスプレイ取り付け装置は、平面ディスプレイは電源やビデオデッキ、ＤＶＤデッキ等への接続ケーブルの接続端子が背面の中央よりも下部に設けられたものが多いので、平面ディスプレイを壁面に取り付けてしまうと、これらの接続端子が設けられた背面を覗くことができない。このため、平面ディスプレイを壁面に取り付ける前に接続ケーブルを接続端子に接続しておく必要があるので、壁面への取り付け時に平面ディスプレイの背面から垂れ下がる接続ケーブルが邪魔になり、取り付け作業がし難い問題がある。また、背面の接続端子に接続された接続ケーブルを、取り付け装置等に絡まないように所望の方向へ取り出すのにも手間がかかる。
【０００５】
そこで、本発明の課題は、平面ディスプレイの取り付け作業が容易で、接続ケーブルをその背面から所望の方向へ簡単に取り出すことができる平面ディスプレイ取り付け装置を提供することである。
【課題を解決するための手段】
【０００６】
上記の課題を解決するために、本発明は、壁面に取り付けられるベース部材と、背面に接続ケーブルの接続端子が設けられた平面ディスプレイが取り付けられ、前記ベース部材に連結される連結部材とを備え、前記平面ディスプレイを壁面に取り付ける平面ディスプレイ取り付け装置おいて、前記連結部材を前記平面ディスプレイの背面に上下方向へ向けて取り付けられるビームを有するものとし、この連結部材のビームの下端部を前記ベース部材から前方へ浮かせ、前記平面ディスプレイの背面の下部と前記壁面との間に、前記接続端子を覗き込む隙間を形成する隙間形成手段を設けた構成を採用した。
【０００７】
すなわち、連結部材を平面ディスプレイの背面に上下方向へ向けて取り付けられるビームを有するものとし、この連結部材のビームの下端部をベース部材から前方へ浮かせ、平面ディスプレイの背面の下部と壁面との間に、接続端子を覗き込む隙間を形成する隙間形成手段を設けることにより、平面ディスプレイを取り付けた後で接続ケーブルを接続端子に接続可能とし、壁面への取り付け時に接続ケーブルが邪魔にならないようにして、取り付け作業を容易にするとともに、接続ケーブルを平面ディスプレイの背面から所望の方向へ簡単に取り出せるようにした。
【０００８】
前記隙間形成手段を、前記連結部材のビームの上端部を前記ベース部材の上部に垂直面内で回動自在に連結し、この垂直面内で回動自在としたビームの下端部を突っ張り部材で前方へ浮かせるように、前記ベース部材の下部に突っ張り支持するものとすることにより、接続端子を覗き込む隙間を容易に形成することができる。
【０００９】
前記連結部材のビームの上部を、垂直面内で回動可能なアーム部材を介して前記ベース部材の上部に連結し、前記ビームの下端部を前記ベース部材に垂直面内で回動自在に連結して、前記平面ディスプレイの前面を下向きに傾斜できるようにすることにより、平面ディスプレイを壁面の上部に取り付けたときに、その画面を下向きに傾斜させて見やすくすることができる。
【００１０】
前記アーム部材の前記ビームの上部への連結位置を変更可能とし、前記平面ディスプレイの前面の下向きの傾斜角度を調節できるようにすることにより、平面ディスプレイの取り付け高さやその画面を見る距離に応じて、画面の傾斜角度を見やすく調節することができる。
【００１１】
これらの画面を下向きに傾斜させるものでも、前記隙間形成手段を、前記ベース部材の上部と前記ビームの下端部を連結する垂直面内で回動自在なリンク部材を設け、このリンク部材が連結されたビームの下端部を突っ張り部材で前方へ浮かせるように、前記ベース部材の下部に突っ張り支持するものとすることにより、接続端子を覗き込む隙間を容易に形成することができる。
【００１２】
前記突っ張り部材を、前記ベース部材の下部または前記ビームの下端部に、垂直面内で回動自在に連結することにより、ビームの下端部の突っ張り支持をより容易に行なうことができる。また、突っ張り部材の紛失も防止することができる。
【００１３】
前記ベース部材を矩形状の枠体で形成し、この枠体を折り畳み可能とすることにより、ベース部材を軽量でコンパクトに折り畳み可能なものとし、その運搬を容易にすることができる。
【発明の効果】
【００１４】
本発明の平面ディスプレイ取り付け装置は、連結部材を平面ディスプレイの背面に上下方向へ向けて取り付けられるビームを有するものとし、この連結部材のビームの下端部をベース部材から前方へ浮かせ、平面ディスプレイの背面の下部と壁面との間に、接続端子を覗き込む隙間を形成する隙間形成手段を設けたので、平面ディスプレイを取り付けた後で接続ケーブルを接続端子に接続することができ、壁面への取り付け時に接続ケーブルが邪魔にならないようにして、取り付け作業を容易にできるとともに、接続ケーブルを平面ディスプレイの背面から所望の方向へ簡単に取り出すことができる。
【００１５】
前記隙間形成手段を、連結部材のビームの上端部をベース部材の上部に垂直面内で回動自在に連結し、この垂直面内で回動自在としたビームの下端部を突っ張り部材で前方へ浮かせるように、ベース部材の下部に突っ張り支持するものとすることにより、接続端子を覗き込む隙間を容易に形成することができる。
【００１６】
前記連結部材のビームの上部を、垂直面内で回動可能なアーム部材を介してベース部材の上部に連結し、ビームの下端部をベース部材に垂直面内で回動自在に連結して、平面ディスプレイの前面を下向きに傾斜できるようにすることにより、平面ディスプレイを壁面の上部に取り付けたときに、その画面を下向きに傾斜させて見やすくすることができる。
【００１７】
前記アーム部材のビームの上部への連結位置を変更可能とし、平面ディスプレイの前面の下向きの傾斜角度を調節できるようにすることにより、平面ディスプレイの取り付け高さやその画面を見る距離に応じて、画面の傾斜角度を見やすく調節することができる。
【００１８】
これらの画面を下向きに傾斜させるものでも、前記隙間形成手段を、ベース部材の上部と前記ビームの下端部を連結する垂直面内で回動自在なリンク部材を設け、このリンク部材が連結されたビームの下端部を突っ張り部材で前方へ浮かせるように、ベース部材の下部に突っ張り支持するものとすることにより、接続端子を覗き込む隙間を容易に形成することができる。
【００１９】
前記突っ張り部材を、ベース部材の下部またはビームの下端部に、垂直面内で回動自在に連結することにより、ビームの下端部の突っ張り支持をより容易に行なうことができる。また、突っ張り部材の紛失も防止することができる。
【００２０】
前記ベース部材を矩形状の枠体で形成し、この枠体を折り畳み可能とすることにより、ベース部材を軽量でコンパクトに折り畳み可能なものとし、その運搬を容易にすることができる。
【発明を実施するための最良の形態】
【００２１】
以下、図面に基づき、この発明の実施形態を説明する。図１乃至図７は、第１の実施形態を示す。この平面ディスプレイ取り付け装置は、図１および図２に示すように、壁面５１に取り付けられるベース部材としての矩形状の枠体１と、平面ディスプレイ５２が取り付けられ、枠体１に連結される連結部材としての２本のビーム２と、各ビーム２の下端部を枠体１から前方へ浮かせるように突っ張り支持する突っ張り部材３とで基本的に構成されている。
【００２２】
図３に示すように、前記平面ディスプレイ５２の背面の下部には、電源やビデオデッキ、ＤＶＤデッキ等への接続ケーブル用の多数の接続端子５３が設けられている。したがって、図２（ｂ）に示すように、突っ張り部材３でビーム２の下端部を枠体１から前方へ浮かせることにより、平面ディスプレイ５２の背面と壁面５１との間に各接続端子５３を覗き込む隙間を形成して、平面ディスプレイ５２を壁面５１に取り付けた後で、各接続端子５３に接続ケーブルを接続し、接続した多数の接続ケーブルを絡ませることなく、所望の方向に簡単に取り出すことができる。接続ケーブルを各接続端子５３に接続した後は、図２（ａ）に示すように、突っ張り部材３の突っ張りを外すことにより、平面ディスプレイ５２の背面が壁面５１に沿わされる。
【００２３】
図１および図４に示すように、前記枠体１は、フランジ部とＣアングル部を有する上下２本の横枠１ａと、中央部を補強用にＣ曲げされた左右２本の縦枠１ｂとから成り、各横枠１ａのフランジ部に壁面５１への取り付け用の複数種類の取り付け孔４ａが設けられるとともに、Ｃアングル部に後述するビーム２の上下の連結金具５ａ、５ｂを取り付ける複数の取り付け孔４ｂが設けられている。なお、複数種類の取り付け孔４ａは壁面５１に応じて選択され、複数の取り付け孔４ｂは平面ディスプレイ５２のサイズに応じて選択される。
【００２４】
図５に示すように、前記縦枠１ｂは横枠１ａのＣアングル部に回動自在にリンク結合され、折り曲げ加工で形成されたストッパ６を横枠１ａのＣアングル部の側面に押し当てて、図４（ａ）に示すように、横枠１ａとの直角度が出されるようになっている。また、図４（ｂ）に示すように、枠体１はこのリンク結合によって横枠１ａと縦枠１ｂをコンパクトに折り畳むことができる。
【００２５】
図６（ａ）、（ｂ）に示すように、前記上下の連結金具５ａ、５ｂは、横枠１ａのＣアングル部の孔４ｂに、ボルト７とナット８で取り付けられ、上側の連結金具５ａにビーム２の上端部がピン９ａによって垂直面内で回動自在に連結されている。また、突っ張り部材３はビーム２の下端部にピン９ｂによって垂直面内で回動自在に連結され、その先端が下側の連結金具５ｂに設けられた係止孔１０に差し込まれて、ビーム２の下端部を前方へ浮かせるように突っ張り支持するようになっている。
【００２６】
図１に示したように、前記各ビーム２はＣアングル部材で形成され、その底面の上端に開口する切込み１１ａと複数の下向きの達磨孔１１ｂが設けられている。図６（ａ）、（ｂ）に示すように、平面ディスプレイ５２の背面の上部と下部には、ネック部を有するアダプタ１２とスペーサ１３を介してねじ１４が取り付けられ、上部のねじ１４がアダプタ１２のネック部で案内されて切込み１１ａの上端から下方へスライド挿入されるとともに、下部のねじ１４が下向きの達磨孔１１ｂの大径部から挿入されて、アダプタ１２のネック部で下方の小径部に案内され、平面ディスプレイ５２の背面が各ビーム２に取り付けられる。なお、複数の達磨孔１１ｂは平面ディスプレイ５２のサイズに応じて選択される。また、スペーサ１３は、ねじ１４の取りつけ部における平面ディスプレイ５２の背面の凹凸に応じて、省略したり、複数個重ねたりされる。
【００２７】
こののち、前記平面ディスプレイ５２の背面の各接続端子５３に接続ケーブルが接続されて所望の方向に取り出され、図２（ａ）に示したように、突っ張りを外された突っ張り部材３がビーム２に沿うように回動される。最後に、突っ張り部材３が顎部３ａに差し込まれるねじ１５で固定されるとともに、このねじ１５でビーム２の下端部が下側の連結金具５ｂにねじ止めされ、平面ディスプレイ５２の取り付け作業が完了する。
【００２８】
図７および図８は、第２の実施形態を示す。この平面ディスプレイ取り付け装置は、図７に示すように、第１の実施形態と同様のベース部材としての矩形状の枠体１、連結部材としての２本のビーム２、突っ張り部材３および上下の連結金具５ａ、５ｂのほかに、各ビーム２の上部を垂直面内で回動可能に枠体１の上部に連結するアーム部材１６と、枠体１の上部と各ビーム２の下端部とに連結された垂直面内で回動自在なリンク部材１７とを備えている。
【００２９】
この実施形態では、図８（ａ）に示すように、前記アーム部材１６が上側の連結金具５ａにピン結合され、アーム部材１６の先端部に上部を連結されたビーム２を前面側へ傾斜させて、ビーム２に取り付けられる平面ディスプレイ５２の前面を下向きに傾斜できるようになっている。ビーム２の上部には、複数の連結孔１８が設けられており、これらの連結孔１８を選択してアーム部材１６の先端部を連結することにより、平面ディスプレイ５２の前面の傾斜角度を、平面ディスプレイ５２の取り付け高さやその画面を見る距離に応じて調節できるようになっている。
【００３０】
また、図８（ｂ）に示すように、前記平面ディスプレイ５２をビーム２に取り付ける際は、リンク部材１７と連結されたビーム２の下端部が、突っ張り部材３で前方へ突っ張り支持され、第１の実施形態のものと同様に、平面ディスプレイ５２の背面と壁面５１との間に各接続端子５３を覗き込む隙間が形成される。各接続端子５３に接続ケーブルが接続された後は、図８（ａ）に示したように、突っ張りを外された突っ張り部材３がビーム２に沿わせて固定され、ビーム２の下端部が下側の連結金具５ｂにねじ止めされて、平面ディスプレイ５２の取り付け作業が完了する。こののち、アーム部材１６の先端部を連結する連結孔１８を選択して、平面ディスプレイ５２の前面の傾斜角度が調節される。
【００３１】
上述した各実施形態では、壁面に取り付けられるベース部材を矩形状の枠体とし、平面ディスプレイの背面に取り付けられる連結部材を２本のビームで形成したが、ベース部材は他の形状の枠体や板状体とすることもでき、ビームの本数も２本に限定されることはない。
【００３２】
また、上述した各実施形態では、突っ張り部材をビーム側に回動自在に連結したが、枠体側に回動自在に連結するか、どちらにも連結せずに着脱式のものとしてもよい。
【図面の簡単な説明】
【００３３】
【図１】第１の実施形態の平面ディスプレイ取り付け装置を示す外観斜視図
【図２】ａは図１の取り付け装置で平面ディスプレイを壁面に取り付けた状態を示す縦断側面図、ｂはａの平面ディスプレイの接続端子を覗く隙間を形成した状態を示す縦断側面図
【図３】図２の平面ディスプレイの背面図
【図４】ａは図１の枠体を示す正面図、ｂはａの枠体を折り畳んだ状態を示す正面図
【図５】図４の枠体のコーナ部を拡大して示す斜視図
【図６】ａ、ｂは、それぞれ図２（ｂ）の上部と下部を拡大して示す断面図
【図７】第２の実施形態の平面ディスプレイ取り付け装置を示す外観斜視図
【図８】ａは図７の取り付け装置で平面ディスプレイを壁面に取り付けた状態を示す縦断側面図、ｂはａの平面ディスプレイの接続端子を覗く隙間を形成した状態を示す縦断側面図
【符号の説明】
【００３４】
１  枠体
１ａ  横枠
１ｂ  縦枠
２  ビーム
３  突っ張り部材
３ａ  顎部
４ａ、４ｂ  取り付け孔
５ａ、５ｂ  連結金具
６  ストッパ
７  ボルト
８  ナット
９ａ、９ｂ  ピン
１０  係止孔
１１ａ  切込み
１１ｂ  達磨孔
１２  アダプタ
１３  スペーサ
１４、１５  ねじ
１６  アーム部材
１７  リンク部材
１８  連結孔
５１  壁面
５２  平面ディスプレイ
５３  接続端子
【図１】
2006330463.tif 000003
【図２】
2006330463.tif 000004
【図３】
2006330463.tif 000005
【図４】
2006330463.tif 000006
【図５】
2006330463.tif 000007
【図６】
2006330463.tif 000008
【図７】
2006330463.tif 000009
【図８】
2006330463.tif 000010